(57)【要約】      （修正有）【課題】針金は２回転半以上絞ると金属被労を起こし易い。【解決手段】釘をビスネジに変え、之に傘を付け、電気ドリルに相対性理論計算式の元に、コマの回転数を与えた所ボルト類、ビスネジ等は、あらゆる風圧試験に耐える。【選択図】図１
2010096345.tif 000002
【特許請求の範囲】
【請求項１】
ビスモン、カサ、ネジと命名する、雨水、他、風圧等を防止するネジ類の傘を発明する請求。
【請求項２】
万有爆力の法則、計算式から２次元対象物（件）体に対し、ビス、ネジの強度計算をして、１０００〜１３５０ｋｍ／Ｈを形体Ｚに示し、１０００〜１３５０ｐａによる締め付け力が生じるビス、ネジ（Ｔ．６７８）が発明される請求をする、
【請求項３】
万有爆力の法則計算式から３次元対象物（件）体に対し、ビス、ネジの強度計算をして、（Ｘ４０５０＋Ｙ４０５０）ｋｍ／Ｈ＝Ｚ４０５０）ｐａによる締め付け力が生じるビス、ネジ（Ｔ．６７９）が発明される請求。（正確には１０００〜４０５０ｐａ）
【請求項４】
本発明、ビスモンネジの締め付け外しが出来る目盛の付いた（３次元、４次元他出力エネルギー圧力が分る）目盛りの付いた出力切り替え装置付電動工具が発明される請求。
【発明の詳細な説明】
【技術分野】
【０００１】  本文を難しくしない為、技術分野にある説明を簡単にすれば、地球（星）の中心核の持つ重力（Ｇ）の躍動エネルギーが１０００〜１３１４Ｖにある電磁（子）出力にあって、大気、気象に多大な影響を及す事が発見された時、現代の建築様式にある構造物件他、車輌、船舶、航空機等他、構造物件に為する構造接続部に用いるボルト、ナット類にコマ（マコマの原理、相対性理論）の回転出力、Ｘ＋Ｙ＝Ｚを提する事の出来る、電動工具（Ｔ．６７７）を発明し、それを的確に仕事するビス、ボルト等（Ｔ．６７６、Ｔ．６７８、Ｔ．６７９）を発明し之に用いた際には、（本発見される）地球（星）の持つ躍動エネルギー（余分な電磁エネルギー、之が、金属被労を起こす）を得ず、完壁な迄にも永久停止する留め道（金）具が出来る事を示す、技術力が本件論文内容に生じた。
【背景技術】
【０００２】●Ｔ．３４０、ｕＦｏＩＩ型機●Ｔ．３２０、自行輪●Ｔ．４２０、発行ペンダント●Ｔ．５４０、マコ時計●Ｔ．６３０、バッタル●Ｔ．７３０、ｕＦｏＩ型機●Ｔ．７６０、タイムマシーン
【発明の開示】
【発明が解決しようとする課題】
【０００３】  読者は、風が吹く際に、これらの風は、（地球）星の出す電子出力（電磁波風）が作用して起こっていた事を、御存知であったであろうか？【０００４】  風は、静電気（高気圧）の多い所（物）から静電気の少ない所（物）に向って、電磁波風を起こして、進む物理現象が本論文（新代科学）に指摘し、発見された時、（Ｔ．５４０、マコ時計参照）【０００５】  現代、人類は、荒れ狂う雨水、大風（台風）から生活圏を守るべく、建物の外壁、屋根材に、ナイロン、ビニール、ガラス等々類をするマイナスイオン静電子滞電率の高いものばかりを建築物素材を多く選んで使用し、風圧を受け易くしていた。課題が生じた。
【発明を解決する手段】
【０００６】  これを留める留め金具に、電磁（子）線力にある風圧をすぐに吸収しやすい釘、ビスを始めと
2010096345.tif 000003
くくなった。（木材建築物に釘を多く使用すると天災を受けずらくなるのはこの由以。Ｔ．３４０、ｕＦｏＩＩ型機参照）
【０００７】  この時、自然界に発生するこの（電磁波）風圧を更に早く、いち速くアースさせるには、留め金具（本文では、釘）にマコインボリューム、即ち、ら線状をして、ビス状にした方が、良い事は、現代科学の未だ知らない所であったが、その耐久強度は、ビス留めにすると、普通の釘留めにした場合よりも３．１４倍以上の強度を得る事は、筆者の他に示す論文で立証（Ｔ．３２０、自行輪参照）されても、
【０００８】  現在、先進国日本を始めとし、全世界の大工、建具屋が使用するクギ類を見ると、之にインボリューム、ら線、溝を用いるものが多くなっており、併も、今だ金鎚を用い、之らの釘類を使用しているの見た際、３次元界に立在する建造物に（未熟）未完成ながらも、
【発明の効果】
【０００９】  既に、之等、工作物を作り、設置する際には、現在多く既存している筈の釘と金鎚は、不要となっているものであった。
【発明を実施する最良の形態】
【００１０】  それは、２０世紀末に現われた偉大な科学者Ａ、アインシュタイン博士の唱えた相対性理論Ｅ２＝ｎ⇒Ｘ＋Ｙ＝Ｚ（Ｔ．４２０、発光ペンダント参照）の計算式にある、物理空間上にある実質効果力（四次元効果。Ｔ．６５０、バッタル参照）の意味が、未だ、人類に把握し切れていなかったからであった。―即ちそれは、本発明品にある、あらゆる、構造物を作る場合、
【産業上の利用の可能性】
【００１１】  本発明される釘、ビス（Ｔ．６７８。Ｔ．６７９）ボルト等のネジ部、ピッチ幅（の和）ＹＧ×３．１４の締め付け幅の間に、ＸＧ×３．１４の速度を得る事の出来る電動工具（Ｔ．６７７）にある切り替え装置を発明し、装備し、使用した場合、Ｅ２＝ｎ⇒Ｘ１３１４＋Ｙ１３１４＝Ｚ１３１４の相対性理論が指摘する（但し、Ｇは地球の重力を示す。Ｔ．６５０、バッタル参照）物理空間上に働く、インボリュームベクトル回転数を形態（Ｚｐａ  Ｈ／ｋｍに表わす事が出来た際には、本発明される、（電動）工具と、ビス、ネジ、若しくはボルトを使用した「留め工作物」のあらゆる物（件）には永久停止力が自然力の元に完全なる状態で働く為（Ｔ．４２０発光ペンダント参照）非科学的であり、職人達の感に頼ってする他、増し締めや、締め足りなさ過ぎは、そこに、本文が指摘する、そこに余分な電磁風圧（雷現象にもなり）が生じすぐに金属被労の原因にもなり、事故の元にもなる際、これらの欠点を、本発明作品では、これら、危険要因を、科学原理の元に除去出来る事をメーカーが理解した場合、産業上利用の可能性は、
2010096345.tif 000004
【図１】
【００１２】  風が（地球上にある）電磁線に作用して起こる事が本文で発見された時、現代の建築に使われる屋根、外壁材には静電気を滞電し易い素材品が多く使われる時に、この力学的力を分散させるべく、ビス、ネジ、若しくはボルトネジの頭部に、これらの力を分散させる為、釘ではなく、ビスに傘を付けた事を示す図であり、同材質で作られる事が望ましく、
【００１３】  （しかし併、本文立証実験では、ビニール素材品を留める留め金具（ビス、ボルト類に同じビニール製で出来た傘ではなく、鉄製で出来た傘を用いると、電（子）磁風圧の分散に調和がとれず、留め金具付近に多くの（金属被労による）ダメージが発生する物と成
【００１４】た。）それ故、これら発明品を用いて、屋根、若しくは外壁材等を留め置くには、Ｘ＋Ｙ＝Ｚ、万爆法則公式に基づき、ビス若しくはボルト等の有効ピッチの一定長さ（）と一定の速さを等しくさせる事が出来るビス、若しくはボルト等が発明され、之を用いて、目的物を接続する事を図に示し、
【図２】
【００１５】  この様にして、本発明品（Ｔ．６７８〜６７９）にある有効ピッチ長さに対するビス、ボルトの長さ（Ｙ）幅と等しい速度（Ｘ）で正確に締め付ける（Ｚ）事の出来る電動工具（Ｔ．６７７）に、地上１０００Ｍ未満の構造物等にあるビス、ボルト等他を締め付ける際には、Ｘ１３５０＋Ｙ１３５０＝Ｚ１３５０値を切り替え出力でき、１０００Ｍを越える構造物、若しくは、１０００ｋｍ／Ｈを越える乗り物には、Ｘ４０５０＋Ｙ４０５０＝Ｚ４０５０ｐａに締め圧力を提する事の出来る切り替え装置付き、電動工具が発明される図を示し、この工具を使用し、目的物を接続する、締め付けた場合、本
2010096345.tif 000005
生し、事故を起こさない物品が出来る事が発見され、発明される図となった。
【附号の説明】
【００１６】  １、本発明、釘ではなく、ビス。２、又はボルトにインボリュームを加える物件が発明された事を示す図となるが、３、ビス若しくは、ボルトの長さ幅ともにＹバリューとし、４、之に等しい速度、即ちＸ＋Ｙｋｍ／Ｈの早さで的確に之を締め付けた場合、地球（星）の持つ重力、Ｇと同化し、永久停止力学的（マコマ原理）力、（形態Ｚ力）が本発明品に働く時、５、この仕事をして、ビス、若しくはボルト等を的格に遂行できる回転速度と距離を計れる切り替え装置の付いた  ６、電動工具が発明された事を示す図となった。７、ビスを留めるドライバー。８、多角形ボルト締め付け具。９、航空機等のジュラルミンを表わし、１０、スペースシャトル等に貼られるセラミックタイル。１１、このタイルを貼り付ける
2010096345.tif 000006
磁圧、１マコＧと命名され、１３１４ｋｍ／Ｈ出力を提し、１３１４ｐａの力量が、１ダイン、１エルグ力量と同等力（Ｅ２＝ｎ計算式。Ｔ．６７２〜６７６）に成る際、この物理空間中の物体はタイムス
2010096345.tif 000007
度１万メートルを超え、マッハ１を超える航空ビスは相当の構造計算式が必要となるものであり、長文章になる為、Ｔ．７３０ｕＦｏＩ型機論文を参照されたし。
【図１】
2010096345.tif 000008
【図２】
2010096345.tif 000009
【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
ビスモン（カサ）ネジと命名する、雨水、風圧他等を防止するネジ類を発明する他、このビス、ネジ類に傘を取り付け発明する請求。
【請求項２】
万有爆力の法則、計算式から２次元対象物（件）体に対し、ビスの締め付け強度計算をして、（ビスの先端速度を）１０００〜１３５０ｍ／Ｈを公式Ｘ＋Ｙに示し、形体Ｚに１０００〜１３５０ｐａによる締め付け力が生じるビスネジ（Ｔ．６７８）を発明する請求。
【請求項３】
万有爆力の法則計算式（相対性理論）から２次元から４次元（航空）物理空間にあるビス、ネジの締め付け強度計算をして、
2010096345.tif 000010
【請求項４】
本論文、万有爆力の法則（相対性理論）計算式から、タイムスリップ現象が発見される時、タイムスリップを阻止すべく、時間と空間を中庸し、（地球）星の持つ躍動エネルギー（Ｇ）と同化する、３、４、５次元他、出力エネルギー圧力の分かる目盛りの付いた出力切り替え装置付電動工具が発明される請求。
【手続補正２】
【補正対象書類名】明細書
【補正対象項目名】全文
【補正方法】変更
【補正の内容】
【発明の詳細な説明】
【技術分野】
【０００１】  本文を難しくしない為、技術分野にある説明を簡単にすれば、地球（星）の中心核の持つ重力（Ｇ）の躍動エネルギーが１０００〜１３１４Ｖにある電磁（子）出力にあって、大気、気象に多大な影響を及す事が発見された時、現代の建築様式にある構造物件他、車輌、船舶、航空機等他、構造物件に為する構造接続部に用いるボルト、ナット類にコマ（マコマの原理、相対性理論）の回転出力、Ｘ＋Ｙ＝Ｚを提する事の出来る、電動工具（Ｔ．６７７）を発明し、それを的確に仕事するビス、ボルト等（Ｔ．６７６、Ｔ．６７８、Ｔ．６７９）発明し、之に用いた際には、（本発見される）地球（星）の持つ躍動エネルギー（余分な電磁エネルギー、之が、金属被労を起こす）を得ず、完璧な迄にも永久停止する留め道（金）具が出来る事を示す、技術力が本件論文内容に生じた。又、本発明品を用いる事で、あらゆる作業が１０倍以上のスピーディさを得る事が出来、コンクリート健造物製作作業時における型枠（仮枠）大工仕事をする際にも、材料を無駄にする事なく、やりなおしも自在となる中、健固にして、頑強な構造物を作る事が出来、解体作業時にも材料を痛める事なく、作業がし易く、高い経済効果を出す技術力さへ生じる物となった。
【背景技術】
【０００２】  ●Ｔ．３４０、ＵＦＯＩＩ型機●Ｔ．３２０、自行輪●Ｔ．４２０、発行ペンダント●Ｔ．５４０、マコ時計●Ｔ．６３０、バッタル●Ｔ．７３０、ＵＦＯＩ型機●Ｔ．７６０、タイムマシーン
【発明の開示】
【発明が解決しようとする課題】
【０００３】  読者は、風が吹く際に、これらの風は、（地球）星の出す電子出力（電磁波風）が作用して起こっていた事を御存知であったであろうか？【０００４】  風は、静電気（高気圧）の多い所（物）から静電気の少ない所（物）に向って、電磁波風を起こして、進む物理現象が本論文（新代科学）に指摘し、発見された時、（Ｔ．５４０、マコ時計参照）【０００５】  現代、人類は、荒れ狂う雨水、大風（台風）から生活圏を守るべく、建物の外壁、屋根材に、ナイロン、ビニール、ガラス等々類をするマイナスイオン静電子滞電率の高いものばかりを建築物素材を多く選んで使用し、風圧を受け易くしていた。課題が生じた。
【発明を解決する手段】
【０００６】  これを留める留め金具に、電磁（子）線力にある風圧をすぐに吸収しやすい釘、ビスを始めと
2010096345.tif 000011
くくなった。（木材建築物に釘を多く使用すると天災を受けずらくなるのはこの由以。Ｔ．３４０、ＵＦＯＩＩ型機参照）
【０００７】  この時、自然界に発生するこの（電磁波）風圧を更に早く、いち速くアースさせるには、留め金具（本文では、釘）にマコインボリューム、即ち、ら線状をして、ビス状にした方が、良い事は、現代科学の未だ知らない所であったが、その耐久強度は、ビス留めにすると、普通の釘留めにした場合よりも、３．１４倍以上の強度を得る事は、筆者の他に示す論文で立証（Ｔ．３２０、自行輪参照）されても、
【０００８】  現在、先進国日本を始めとし、全世界の大工、建具屋が使用するクギ類を見ると、之にインボリューム、ら線、溝を用いるものが多くなっており、併も、今だ、金鎚を用い、之らの釘類を使用しているの見た際、３次元界に立在する建造物に（未熟）未完成ながらも、
【発明の効果】
【０００９】  既に、之等、工作物を作り、設置する際には、現在多く既存している筈の釘と金鎚は、不要となっているものであった。
【発明を実施する最良の形態】
【００１０】  それは、２０世紀末に表われた偉大な科学者Ａ．アインシュタイン博士の唱えた相対性理論Ｅ２＝ｎ⇒Ｘ＋Ｙ＝Ｚ（Ｔ．４２０、発光ペンダント参照）の計算式にある、物理空間上にある実質効果力（四次元効果。Ｔ．６５０、バッタル参照）の意味が、未だ、人類に肥握し切れていなかったからであった。―即ちそれは、本発明品にある、あらゆる、構造物を作る場合、
【産業上の利用の可能性】
【００１１】  本発明される釘、ビス（Ｔ．６７８。Ｔ．６７９）ボルト等のネジ部、ピッチ幅（の和）ＹＧ×３．１４の締め付け長さの間に、ＸＧ×３．１４の速度を得る事の出来る電動工具（Ｔ．６７７）にある切り替え装置を発明し、装備し、使用した場合、Ｅ２＝ｎ⇒Ｘ１３１４＋Ｙ１３１４＝Ｚ１３１４の相対性理論が指摘する（但し、Ｇは地球の重力を示す。Ｔ．６５０、バッタル参照物理空間上に働く、インボリュームベクトル回転数を形態（ＺｐａＨ／ｋｍ）に表わす事が出来た際には、本発明される、（電動）工具と、ビス、ネジ、若しくはボルトを使用した「留め工作物」のあらゆる物（件）には永久停止力が自然力の元に完全なる状態で働く為（Ｔ．４２０発光ペンダント参照）非科学的であり、職人達の感に頼ってする他、増し締めや、締め足りなさ過ぎは、そこに、本文が指摘する、＿＿余分な電磁風圧（雷現象にもなり）が生じすぐに金属被労の原因にもなり、事故の元にもなる際、これらの欠点を、本発明作品では、危険要員として、科学原理の元に除去出来る事をメーカーが理解した場合、産業上利用の可能性は、極めて大きいものであると、考えられた。そして、それらの釘類は、この先須くビスになってゆく事にも考えられた。
〔図１〕
【００１２】  風が（地球上にある）電磁線に作用して起こる事が本文で発見された時、現代の建築に使われる屋根、外壁材には静電気を滞電し易い素材品が多く使われる時に、この力学的力を分散させるべく、ビス、ネジ、若しくはボルトネジの頭部に、これらの力を分散させる為、釘ではなく、本発明、ビス、ボルト類をして、之等の物に傘を付けた事を示す図であり、
【００１３】
2010096345.tif 000012
同じビニール製で出来た傘ではなく、鉄製で出来た傘を用いると、電（子）磁風圧の分散に調和がとれず、留め金具付近に多くの（金属被労による）ダメージが発生する物と成
【００１４】
2010096345.tif 000013
Ｘ＋Ｙ＝Ｚ、万爆法則公式に基づき、ビス若しくはボルト等の有効ピッチの一定長さ（）と一定の速さを等しくさせる事が出来るビス、若しくはボルト等が発明され、之を用いて、目的物を接続する事を図に示し、
〔図２〕
【００１５】  この様にして、本発明品（Ｔ．６７８〜６７９）に、ある有効ピッチ長さに対するビス、ボルトの長さ（Ｙ）幅と等しい速度（Ｘ）で正確に締め付ける（Ｚ）事の出来る電動工具（Ｔ．６７７）に、地上１０００Ｍ未満の構造物等にあるビス、ボルト等他を締め付ける際には、Ｘ１３５０＋Ｙ１３５０＝Ｚ１３５０値を切り替え出力でき、１０００ｍ／Ｈ⇒１０００ｐａとし、１０００ｋｍ／Ｈを越える乗り物には、Ｘ４０５０＋Ｙ４０５０＝Ｚ４０５０ｐａに締め付け（実質１３５０×２）圧力を提する事の出来る切り替え装置付、電動＿＿＿＿＿＿＿工具が発明される図を示し、この工具を使用し、目的物を接続する、締め付けた場合、本
2010096345.tif 000014
生し、事故を起こさない物品が出来る事が発見される図となった。相対性理論は中庸を表わす。
【附号の説明】
【００１６】  １．本発明、釘ではなく、ビス。２．又は、ボルト、ネジ部に（インボリューム）を加える物件が発明された事を示す図となるが、３．ビス若しくは、ボルトの長さ幅ともにＹバリューとし、４．之に等しい速度、即ち（Ｘ＋Ｙ）ｍ／Ｈの早さで的確に之を締め付けた場合、地球（星）の持つ重力、Ｇと同化し、永久停止力学的（マコマ原理）力、（形態Ｚ力）が本発明品に働く時、５．この仕事をして、ビス、若しくはボルト等を的格に遂行できる回転速度と距離を等しくする切り替え装置の付いた  ６．電動工具が発明された事を示す図となった。７．ビスを留めるドライバー。８．多角形ボルト締め付け具。９．航空機等のジュラルミンを表わし。１０．スペースシャトル等に貼られるセラミックタイル。１１．このタイルを貼り付ける
2010096345.tif 000015
磁圧、１マコＧと命名される）１３１４ｋｍ／Ｈ出力を提し、１３１４ｐａの力量が、１ダイン、１エルグに働く際、（Ｅ２＝ｎ計算式。Ｔ．６７２〜６７６）にある中庸を乱す時、この物理空間中にある物体は、タイムスリップを起こした。多くの航空機事故（雷事故、エンヂン停止中）映画例にこの種の物があり、日本の浮世絵、東海道５３次の日本橋風景の上空にＧジェット機が描かれており、この事からＵＦＯを現代人が見てもおかしくもなく、故に、スペースシャトル他、高度１千メートルを超え、マッハ１を超える航空ビスでは、
2010096345.tif 000016
書きがされ、本発明品を本文で立証するを図に示す。Ｅ２＝ｎ⇒Ｘ＋Ｙ＝Ｚ公式から、＋−１３．１４℃の温度高低差Ｚが発生する際、大気は、＋から−にインボリュームベクトル線律を描き１３１４Ｙｍの距離を１３１４ＸＨの時間かけ、瞬間移動した際、（Ｘ１３１４＋Ｙ１３１４＝Ｚ１３１４は）実績と呼ばれ、ワープと呼ばれ、高温度実績は、一個の電子（静電子）と呼ばれる物体に（化学）変化する物になる事が発見され示された時、電子は重り合う際に、原子という新たなる物質に変貌するものとなった。（Ｔ．６３０。Ｔ．６８０参照）立証実験では、鉄に１０００℃の熱を加え、急激に冷やさない時、磁石と呼ばれる静電子を滞びる物になった。１２．しかし併ら、実証実験を２例で示す時、仮りにＸ（１３１４ｋｍ／Ｈ）の速度中にある、飛行機等では、急に、エンジンを停止しても、Ｙ（１３１４ｋｍ）万有引力（万有爆力）の法則の元に、この飛行機はこの物理空間内にあっては、永久停止（空走距離移動）が働く為、落下しない事となった。燃量の足りない時、パイロットが、Ｙ（１３１４ｋｍ）如にエンジンを始動したり、停止したりする非常手段に用いて航続距離を延ばすテクニックに、この原理が応用した際、筆者は必然にもこの時、タイムスリップが、実在する事を相対性理論の元に発見し、証明した。即ち、公式Ｅ２＝ｎ⇒｛Ｘｇ＋Ｙ１３１４＝Ｚ２６２８｝をして、この時の航空機は、一回エンジンを停止する事によって、−１３１４ｋｍ／Ｈ分過去にタイムスリップをしているのであった。（最高機密）しかし併ら、間もなく、１０回以上繰り返すと、Ｅ２＝ｎ⇒｛（Ｘｇ）１０＋（Ｙ１３１４）１０｝＝Ｚ１３１４ｋｍ／Ｈを遙かに越え、気が付くと筆者は、そこに、タイムマシーンの原理を発見しており、筆者は、日本においては、眼下に、江戸時代
2010096345.tif 000017
す事が出来、ワープの立証実験は、図に示す、「マコ衝撃器」と命名される、衝撃器中の、１３．糸で吊った１３１４ｋｇ／Ｇの鋼鉄球を連同する９つの同質量の鋼鉄球にぶつけた場合、行尾９個目の鋼鉄球は、隊列からＡ（Ｘ＋Ｙ）＝Ａ’（Ｚ）の力量にある、物体Ｚ（１３１４ｋｇ／Ｇ）力を以って、力量を持つ物体は、外部に外き出される時、「物体はワープした。」という現象が起こり、Ｘ（１３１４ｋｇ／Ｇ）質量にある物体は、時間Ｘが相対性理論上Ｘ０になる時、１４．空間ＹがＹＡ⇒Ｙ’Ａに進み、形体Ｚに実蹟が表われる際、タイムスリップは、立証され、１５．同出力力量は、デジタル計測器に表われる事で立証される時、１６．１３１４ＸＨの時間力量を持つ鋼鉄球を表わし、Ｘｖとし、１７．１３１４Ｙｍの距離を鋼鉄球をその数だけ並列で並べる事で、Ｙバリュー（Ｙｖ）にある物理空間にある距離を発生させたた事を表わしているが、１８．衝撃始動鋼鉄球Ａを「マコ衝撃連動器」にぶつけた際、Ａ’にある「マコ衝撃連動器」の最後部にある、鋼鉄球には正確にＺ１３１４ｋｇ／Ｇ力が表われる計算式の元に、筆者の乗る航空機は、正確にタイムスリップ（瞬間移動）し、現在とは別にある、過去、若しくは、未来にある不思義な世界の実状を目撃していた。―しかし併ら、本論文でタイムマシーンの原理は証明されたものの、本文を読まれる読者は真以をしてはいけない。事を厳重注意する。タイムスリップを本文のみをもって体験した場合、現世（本文提出日、２００８年の世界に戻って来れない危険性が実在した。之を体験する者は、Ｔ．７６０、タイムマシーンにある計算式（タイムトリップ式）を必ず熟知してからしなければならなかった。）１９．本箱の工作物を表わす。２０．小学生が、ドライバーを使って、木ネジを締め付け、工作した場合（Ｘ＜Ｙ）出来上がった制品は、重量物に絶えられず、グラグラし、耐久性が無く、すぐに壊われてしまう物となる事を示し、２１．従来にあるＸ＋Ｙ＝Ｚ公式を得ないで制品をビス留めした場合、ビスの締め付けの足らなさは、前記述、小学生の工作物に等しく、すぐに壊れる事、反対に締め付け過ぎは、パキーンと無気味な音を立てて、ビスの切断他、ヒビ割れ、金属疲労を起こし、やはり、すぐにに制品を壊してしまう事は、ハイテク技術にあるスペースシャトルに言わず、本論文の正しきを証明する所となった。２２．Ｔ．６７７を表す。
【手続補正３】
【補正対象書類名】図面
【補正対象項目名】全図
【補正方法】変更
【補正の内容】
【図１】
2010096345.tif 000018
【図２】
2010096345.tif 000019